(57)【要約】【課題】相手端末情報を学習情報として記憶し、記憶した学習情報を利用してプロトコル時間を短縮するファクシミリ装置で、短縮プロトコルに起因して誤送信が発生することを防止する。【解決手段】学習情報記憶領域５０の学習情報格納部５０ａ〜５０ｎに記憶した相手端末情報を示す学習情報を一定期間毎に消去して再学習させて更新し、記憶した学習情報を常に最新の情報にして、短縮プロトコルに起因する誤送信を解消する。【選択図】　　図５
2004040346.tif 000002
【特許請求の範囲】
【請求項１】
相手端末情報を学習情報として記憶し、記憶した学習情報を利用してプロトコル時間を短縮するファクシミリ装置において、
記憶した学習情報を一定期間毎に消去して再学習させることを特徴とするファクシミリ装置。
【請求項２】
相手端末情報を学習情報として記憶し、記憶した学習情報を利用してプロトコル時間を短縮するファクシミリ装置において、
記憶した学習情報を一定通信回数毎に消去して再学習させることを特徴とするファクシミリ装置。
【請求項３】
前記記憶した学習情報を消去する回数を相手端末との通信頻度に応じて設定する請求項２記載のファクシミリ装置。
【発明の詳細な説明】
【０００１】
【発明の属する技術分野】
この発明は、相手端末情報を学習する機能を有するファクシミリ装置、特に短縮プロトコルに起因する誤送信の解消に関するものである。
【０００２】
【従来の技術】
相手端末情報を学習する機能を有し、プロトコル時間を短縮するファクシミリ装置が例えば特開平５−７５８２１号公報当に開示されている。このファクシミリ装置は、受信先から受信する所定の通信制御信号に含まれる各種機能設定情報を学習情報として記憶し、受信先との通信に際しては、記憶した学習情報を参照して相手先から各種機能設定情報を受信する通信手順であるＣＳＩやＮＳＦを省略して通信プロトコルを短縮するようにしている。
【０００３】
【発明が解決しようとする課題】
しかしながら相手先から各種機能設定情報を受信する通信手順を省略する短縮プロトコルは、通常、同じ非標準プロトコルを備えた端末同士で成立し、同じメーカーの別端末に入れ替わっても成立する。このように相手端末が入れ替わっても、短縮プロトコルでは相手端末からＣＳＩやＮＳＦを受信する手順を省いてしまうため、送信側で相手端末が入れ替わったことを検出できず、誤送信してしまう不具合があった。
【０００４】
この発明はかかる不具合を解消し、短縮プロトコルに起因して誤送信が発生することを防止することができるファクシミリ装置を提供することを目的とするものである。
【０００５】
【課題を解決するための手段】
この発明に係るファクシミリ装置は、相手端末情報を学習情報として記憶し、記憶した学習情報を利用してプロトコル時間を短縮するファクシミリ装置において、記憶した学習情報を一定期間毎に消去して再学習させることを特徴とする。
【０００６】
この発明に係る他のファクシミリ装置は、相手端末情報を学習情報として記憶し、記憶した学習情報を利用してプロトコル時間を短縮するファクシミリ装置において、記憶した学習情報を一定通信回数毎に消去して再学習させることを特徴とする。
【０００７】
前記記憶した学習情報を消去する回数を相手端末との通信頻度に応じて設定することが望ましい。
【０００８】
【発明の実施の形態】
図１はこの発明のファクシミリ装置の構成図である。ファクシミリ装置１は複写機能とプリンタ機能を有し、図に示すように、画像形成ユニット２の下部には記録紙を収納した２段の給紙カセット３ａ，３ｂが設けられ、画像形成ユニット２の上部には読取ユニット４を有する。給紙カセット３ａ，３ｂは給紙ローラ５ａ，５ｂを有し、給紙ローラ５ａ，５ｂにより給紙カセット３ａ，３ｂ内に積載された記録紙を１枚ずつ給紙する。給紙ローラ５ａ，５ｂの下流側近傍は合流して縦搬送経路６が形成されている。縦搬送経路６には、搬送ローラ７，８と画像形成ユニット２の画像形成部９と定着部１０が配置されている。画像形成部９は、感光体１１と、感光体１１の周囲に配置された帯電チャージャ１２と現像装置１３と転写部１４及びクリーニングユニット１５と、レーザ光源やポリゴンミラー等が設けられ、感光体１１にレーザービームを照射して画像を書き込む書込ユニット１６を有する。
【０００９】
縦搬送経路６の下流端には排紙ローラ１７が設けられ、画像を形成した記録紙を排紙部１８に搬送する。また、縦搬送経路６の外側には、支軸１９を支点として回転方向に開閉可能な手差しトレイ２０が設けられている。画像形成ユニット２の側面で支軸１９の上部近傍には手差し給紙を行うための給紙口が設けられ、両面ユニット２１と共通に用いられる搬送経路である共通搬送経路２２が搬送ローラ８の上流側で縦搬送経路６と合流している。そして手差しトレイ２０を水平に開放したときに手差し給紙が可能となり、手差しトレイ２０にセットした記録紙は共通搬送経路２２から縦搬送経路６に搬送される。
【００１０】
給紙ユニット３ａ，３ｂあるいは手差しトレイ２０から給紙された記録紙は画像形成部９に搬送される。画像形成部９は、書込ユニット１６により感光体１１に書き込まれて形成された静電潜像を現像装置１３で現像し、現像した画像を転写部１４で記録紙に転写する。定着部１０は画像が転写された記録紙に熱及び圧力を加えて定着する。画像が定着された記録紙は排紙ローラ１７により排紙部１８に排出される。両面ユニット２１は装置本体２の外側部に設置され、記録紙の両面に画像を形成するときは、片面に画像を形成した記録紙を装置本体２の上部に設けた搬送ローラ２３によりスイッチバック経路２４に送り、スイッチバック経路２４から両面ユニット２１を介して再び縦搬送経路６に記録紙を搬送する。
【００１１】
このファクシミリ装置１の制御装置３１は図２のブロック図に示すように、システム制御部３２とシステムメモリ３３と読出専用メモリ３４と不揮発性メモリ３５と網制御部３６とモデム３７と画像メモリ３８と符号化復号化部３９とエンジン制御部４０及びクロック部４１を有する。
【００１２】
システム制御部３２は装置全体の動作を制御するとともにファクシミリ伝送制御手順を実行する。システムメモリ３３はシステム制御部３２が制御プログラムを実行するときに、必要なデータを記憶したりワークエリアとして利用する。読出専用メモリ３４は制御プログラムや各種制御データを記憶する。不揮発性メモリ３５はフラッシュメモリカードやハードディスクからなり、時刻指定送信や親展受信などの画像データを格納する。網制御部３６は自動発信機能を有し、公衆回線網に接続する。画像メモリ３８は送信画像や受信画像を記憶する。符号化復号化部３９は画像データを圧縮したり、圧縮された画像データを伸長する。エンジン制御部４０は画像形成ユニット２の動作を制御する。クロック部４１は月日や時刻を出力する。
【００１３】
システム制御部３２は相手端末情報を学習する機能を有し、受信先から受信するＣＳＩやＮＳＦに含まれる各種機能設定情報を学習情報として不揮発性メモリ３４に記憶し、学習情報を記憶した相手先と通信するとき、記憶した学習情報を参照して相手先から各種機能設定情報を受信する通信手順であるＣＳＩやＮＳＦを省略した短縮プロトコルで通信を行う。不揮発性メモリ３４には、図３の構成図に示すように、学習情報記憶領域５０を有する。学習情報記憶領域５０は、ワンタッチキーの「００１」からＮ番目のキーに対応した学習情報格納部５０ａ〜５０ｎと、学習情報を無効化した履歴を記憶する無効化処理実施履歴格納部５１を有する。
【００１４】
学習情報格納部５０ａ〜５０ｎには、登録有効／無効と短縮プロトコル実施回数と無効化のための回数と相手先ＮＳＦ情報と交信開始モデムレートと相手先端末名称等が格納される。この学習情報格納部５０ａ〜５０ｎに記憶する相手ＮＳＦ情報は、通常の通信プロトコルで相手端末より送信される能力情報であり、この能力情報を記憶することによりプロトコル時間を短縮することができる。また、交信開始モデムレートは、過去の交信において交信が成立したモデムレートであり、これを記憶しておくことによりモデムトレーニングの手順を短縮できる。相手端末名称は、通常の通信プロトコルで相手端末より送信される情報であり、プロトコル手順を省略しても、相手端末名称を記憶しておくことにより通信履歴情報等に交信した相手端末名称を記録できる。
【００１５】
この相手端末情報を学習情報として学習情報記憶領域５０に記憶するときの処理を図４のフローチャートを参照して説明する。
【００１６】
通信を開始して（ステップＳ１）、相手端末から非標準機能識別信号ＮＳＦを受信すると（ステップＳ２）、システム制御部３２は受信したＮＳＦに含まれる情報から相手端末に短縮プロトコル機能があるかどうかを解析し（ステップＳ３）、相手端末に短縮プロトコル機能があるとＮＳＦに含まれる相手端末情報を不揮発性メモリ３５に設けた学習情報記憶領域５０の学習情報格納部５０ａに学習情報として記憶し、登録有効／無効を有効にする（ステップＳ４）。そして学習情報記憶領域５０の無効化処理実施履歴格納部５１を未実施にする（ステップＳ５）。この処理を異なる相手端末と通信を行うたびに繰り返して、相手端末情報を学習情報として学習情報記憶領域５０に記憶させる。そして学習情報を記憶した相手端末と通信するとき、記憶した学習情報を参照して相手端末から各種機能設定情報を受信する通信手順であるＮＳＦを省略した短縮プロトコルで通信を行い、プロトコル時間を短縮する。
【００１７】
このように相手端末情報を学習情報として記憶しておいても、相手端末が入れ替わったような場合は記憶した学習情報が変更する可能性がある。そこで一定期間毎に学習情報格納部５０ａ〜５０ｎに記憶した学習情報を無効にして、新たに学習情報を再学習して記憶する。この記憶した学習情報を無効にするときの処理を図５のフローチャートを参照して説明する。
【００１８】
システム制御部３２は学習情報記憶領域５０の無効化処理実施履歴格納部５１に記憶した情報を適宜確認し、無効化処理実施履歴が未実施の場合、クロック部４１から現在の月日を読出し（ステップＳ１１）、現在の月日があらかじめ定めた基準日、例えば月の初めである１日であると（ステップＳ１３）、学習情報格納部５０ａ〜５０ｎに記憶した学習情報の登録有効／無効を全て無効にする（ステップＳ１４）。そして無効化処理実施履歴格納部５１を実施済みにする（ステップＳ１５）。その後、相手端末と通信があると、図４のフローチャートに示すように、相手端末情報を学習情報として新たに記憶する。このように学習情報格納部５０ａ〜５０ｎに記憶した学習情報を一定期間ごとに全て無効にして再学習することにより、記憶した学習情報を常に最新の情報にすることができ、短縮プロトコルに起因する誤送信を解消することができる。
【００１９】
前記説明では学習情報格納部５０ａ〜５０ｎに記憶した学習情報を一定期間毎に無効にして再学習する場合について説明したが、相手端末と一定回数交信したら記憶した学習情報を無効にして再学習するようにしても良い。
【００２０】
この場合の学習情報の記憶処理について、図６のフローチャートを参照して説明する。
【００２１】
相手端末と通信を開始すると（ステップＳ２１）、システム制御部３２は短縮プロトコルによる通信かどうかを判断し（ステップＳ２２）、短縮プロトコルによる通信の場合、相手端末に該当する学習情報格納部５０ｎの短縮プロトコル実施回数を＋１する（ステップＳ２３）。そして通信が終了すると、システム制御部３２は、学習情報格納部５０ｎの短縮プロトコル実施回数があらかじめ定めた所定の回数例えば５回に達しているかどうかを判断し（ステップＳ２５）、短縮プロトコル実施回数が所定の回数に達している場合、学習情報格納部５０ｎの登録有効／無効を無効にする（ステップＳ２６）。そして短縮プロトコル実施回数を０にする（ステップＳ２７）。このようにして相手端末毎に個別で学習情報を再学習するタイミングを制御することができる。
【００２２】
この場合、相手端末毎に個別で学習情報を再学習するタイミングを定める所定の通信回数を、頻繁に通信する相手端末とあまり通信をする機会がない相手端末とで区別しても良い。すなわち頻繁に通信する相手端末とは連絡が密なことが想定されるため、無断で端末が入れ替わることは考えにくいため、再学習の条件となる通信回数を大きな値にして短縮プロトコルの利点を最大限に利用し、あまり通信をする機会がない相手端末は無断で端末が入れ替わる可能性も少なくないため、短縮プロトコルのメリットよりも誤送信防止を優先させることができる。
【００２３】
【発明の効果】
この発明は以上説明したように、相手端と通信するときのプロトコル時間を短縮するために記憶した学習情報を一定期間毎に消去して再学習させるようにしたから、相手端末が入れ替わったことを確実に検知することができ、短縮プロトコルに起因する誤通信を解消することができる。
【００２４】
また、記憶した学習情報を一定通信回数毎に消去して再学習させることにより、相手端末毎に個別に学習情報を更新して、短縮プロトコルに起因する誤通信を解消することができる。
【００２５】
さらの、記憶した学習情報を消去する回数を相手端末との通信頻度に応じて設定することにより、頻繁に通信する相手端末とは短縮プロトコルの利点を最大限に利用し、あまり通信をする機会がない相手端末とは短縮プロトコルのメリットよりも誤送信防止を優先させることができる。
【図面の簡単な説明】
【図１】この発明のファクシミリ装置の構成図である。
【図２】制御装置の構成を示すブロック図である。
【図３】学習情報記憶領域の構成図である。
【図４】学習情報の記憶処理を示すフローチャートである。
【図５】学習情報の消去処理を示すフローチャートである。
【図６】学習情報の他の消去処理を示すフローチャートである。
【符号の説明】
１；ファクシミリ装置、２；画像形成ユニット、３；給紙カセット、
４；読取ユニット、３１；制御装置、３２；システム制御部、
３３；システムメモリ、３４；読出専用メモリ、３５；不揮発性メモリ、
３６；網制御部、３７；モデム、３８；画像メモリ、
３９；符号化復号化部、４０；エンジン制御部、４１；クロック部、
５０；学習情報記憶領域。
【図１】
2004040346.tif 000003
【図２】
2004040346.tif 000004
【図３】
2004040346.tif 000005
【図４】
2004040346.tif 000006
【図５】
2004040346.tif 000007
【図６】
2004040346.tif 000008